(57)【要約】【課題】カバーをメインフレームに固定する固定機構の部品点数を削減し、構成を簡素化することができる照明装置を提供する。【解決手段】照明装置１は、メインフレーム２と、光源５と、電源ユニット１０と、カバー４と、カバー４をメインフレーム２に固定する固定機構と、を備えている。前記固定機構は、カバー４の挿通孔４１に装着されるパッキン８と、挿通孔４１に通されるカバー固定用ボルト７と、メインフレーム２内に取り付けられた複数の金具６と、を備えている。パッキン８は、フランジ部８１と、円筒部８２と、突出部８３と、を備えている。カバー固定用ボルト７の軸部は、大径部７３ａと小径部７３ｂとから成る段付き形状となっている。大径部７３ａの外径は、円筒部８２の内径よりもわずかに大きい。金具６に形成されたボルト孔６５の内径は、大径部７３ａの外径よりも小さい。【選択図】図３
2020194760.tif 000002
【特許請求の範囲】
【請求項１】
メインフレームと、
前記メインフレーム内に収容される光源と、
前記メインフレームに取り付けられるカバーと、
前記カバーを前記メインフレームに固定する固定機構と、を備えた照明装置であって、
前記固定機構が、
前記カバーに形成された挿通孔に装着されるパッキンと、
前記挿通孔に通されるカバー固定用ボルトと、
前記メインフレーム内に取り付けられ、前記カバー固定用ボルトが螺合可能なボルト孔が形成された金具と、を備えている
ことを特徴とする照明装置。
【請求項２】
前記パッキンが、前記カバーの外面に密着する円環状のフランジ部と、該フランジ部の内縁部から円筒状に延び、前記挿通孔の内周面に密着する円筒部と、該円筒部の外周面から突出し、前記挿通孔外かつ前記メインフレームの内部空間に位置付けられる突出部と、を備えている
ことを特徴とする請求項１に記載の照明装置。
【請求項３】
前記カバー固定用ボルトの軸部が前記円筒部の内側に通されかつ前記ボルト孔に螺合していない状態で、前記カバーを下向きにした際、
前記カバー固定用ボルトが前記パッキンとの摩擦力により前記円筒部内に保持される
ことを特徴とする請求項２に記載の照明装置。
【請求項４】
前記カバー固定用ボルトが、前記カバーの外面との間に前記フランジ部を挟む円形板状の押さえ部を備えている
ことを特徴とする請求項１〜３の何れか１項に記載の照明装置。
【請求項５】
前記カバー固定用ボルトの軸部が、頭部寄りの大径部と、該大径部よりも小径の小径部と、から成る段付き形状とされており、
前記ボルト孔の内径が前記大径部の外径よりも小さい
ことを特徴とする請求項１〜４の何れか１項に記載の照明装置。
【発明の詳細な説明】
【技術分野】
【０００１】
本発明は、照明装置に関するものである。
【背景技術】
【０００２】
一般に、車両や人が通行するトンネルには照明装置が設置されている。図７は、従来の照明装置の断面図である（特許文献１を参照。）。この照明装置３００は、中空角筒状のメインフレーム３０１と、メインフレーム３０１両端の開口部を塞いだ一対のサイドフレームと、ガラス製のカバー３３０と、カバー３３０をメインフレーム３０１に固定した固定機構３５０と、メインフレーム３０１の支持壁３１０上に複数のボルトＮ３によって固定された複数のＬＥＤ基板３２１と、メインフレーム３０１の中空部に収容された電源ユニット３２２と、を備えている。
【０００３】
メインフレーム３０１は、支持壁３１０と、支持壁３１０と対向した底壁３１１と、２つの側壁３１２と、を備えている。各側壁３１２は、支持壁３１０よりも上まで延出した延出部を有しており、対向した一対の延出部間にカバー３３０が取り付けられている。また、メインフレーム３０１は押出成形により得られるものであり、押出成形後に形成されるボルト挿通孔を除いて矢印Ｚ方向に一様な断面形状となっている。
【０００４】
固定機構３５０は、カバー３３０に形成された複数の挿通孔３３１にそれぞれ通された複数のボルトＮ５と、複数のワッシャ３５３と、複数のスペーサ３５１と、複数の緩衝部材３２１，３２２と、で構成されている。
【０００５】
スペーサ３５１には、支持面１１０に螺合するネジ部３５１ａと、ボルトＮ５が螺合するネジ孔３５１ｂと、が形成されている。
【０００６】
緩衝部材３２１はフランジ付き円筒形状であり、フランジ部分がワッシャ３５３とカバー３３０との間に位置付けられ、円筒部分が挿通孔３３１内に位置付けられている。また、ボルトＮ５の軸部は挿通孔３３１内を通されている。緩衝部材３２２は、スペーサ３５１とカバー３３０との間に位置付けられている。
【０００７】
上記照明装置３００は以下の手順で組み立てられる。まず、メインフレーム３０１の支持壁３１０に複数のＬＥＤ基板３２１や複数のスペーサ３５１を固定し、各スペーサ３５１に緩衝部材３２２を取り付け、メインフレーム３０１の中空部に電源ユニット３２２を収容する。次に、メインフレーム３０１両端開口部にサイドフレームを固定する。続いて、カバー３３０の各挿通孔３３１に緩衝部材３２１を装着し、このカバー３３０をメインフレーム３０１上に載置する。そして、各挿通孔３３１にボルトＮ５を通し、該ボルトＮ５をスペーサ３５１に螺合させることにより、カバー３３０をメインフレーム３０１に固定する。概ね以上の手順を経て照明装置３００が組立てられる。
【先行技術文献】
【特許文献】
【０００８】
【特許文献１】特開２０１８−１９０５０６号公報
【発明の概要】
【発明が解決しようとする課題】
【０００９】
上述した従来の照明装置３００においては、カバー３３０をメインフレーム３０１に固定する固定機構３５０の部品点数が多く、構成が複雑であり、改善の余地があった。
【００１０】
本発明は、カバーをメインフレームに固定する固定機構の部品点数を削減し、構成を簡素化することができる照明装置を提供することを目的としている。
【課題を解決するための手段】
【００１１】
本発明は、メインフレームと、前記メインフレーム内に収容される光源と、前記メインフレームに取り付けられるカバーと、前記カバーを前記メインフレームに固定する固定機構と、を備えた照明装置であって、前記固定機構が、前記カバーに形成された挿通孔に装着されるパッキンと、前記挿通孔に通されるカバー固定用ボルトと、前記メインフレーム内に取り付けられ、前記カバー固定用ボルトが螺合可能なボルト孔が形成された金具と、を備えていることを特徴とする。
【発明の効果】
【００１２】
本発明によれば、カバーをメインフレームに固定する固定機構の部品点数を削減し、構成を簡素化することができる。
【図面の簡単な説明】
【００１３】
【図１】本発明の一実施形態にかかる照明装置の斜視図である。
【図２】図１の照明装置において、カバーと光源を除いた状態の斜視図である。
【図３】図１中のＡ−Ａ線に沿った断面図である。
【図４】図３のカバー固定用ボルトの図であり、（ａ）は平面図、（ｂ）は側面図である。
【図５】図３のパッキンの図であり、（ａ）は平面図、（ｂ）は側面図である。
【図６】図３のカバー固定用ボルトが金具のボルト孔に螺合している状態を示す斜視図である。
【図７】従来の照明装置の断面図である。
【発明を実施するための形態】
【００１４】
本発明の一実施形態にかかる「照明装置」を図１〜６を参照して説明する。図１に示す照明装置１は、トンネル内を照明するものであり、「トンネル灯」や「トンネル照明」とも呼ばれている。この照明装置１は、屋外設置されるため、防水仕様が要求される。
【００１５】
この照明装置１は、メインフレーム２と、一対のブラケット１３と、一対のサイドフレーム３と、光源５と、電源ユニット１０と、カバー４と、カバー４をメインフレーム２に固定する固定機構と、これら部品間をシールする複数のパッキン等を備えている。また、カバー４をメインフレーム２に固定する固定機構は、カバー４に形成された挿通孔４１に装着されるパッキン８と、挿通孔４１に通されるカバー固定用ボルト７と、メインフレーム２内に取り付けられた複数の金具６と、を備えている。
【００１６】
メインフレーム２は、図２，３に示すように、長方形板状の底壁２１と、底壁２１の外縁を成す２つの長辺それぞれから立設した一対の側壁２２と、を備えている。図１〜３中の矢印Ｚは底壁２１の長辺方向を表しており、矢印Ｘは底壁２１の短辺方向を表しており、矢印Ｙは底壁２１の厚み方向を表している。このメインフレーム２は、製造コストが比較的低い押出成形により得られるものであり、押出成形後に形成されるボルト挿通孔を除いて矢印Ｚ方向（長辺方向）の全長にわたって一様な断面形状となっている。また、本例では、メインフレーム２がアルミニウム合金で構成されている。
【００１７】
図３に示すように、一対の側壁２２各々の内面には、パッキン１２を取り付けるための溝２３と、サイドフレーム固定用ボルトが螺合するボルト孔２４と、金具６を取り付けるためのレール２５と、が設けられている。これら溝２３、ボルト孔２４、レール２５は、矢印Ｚ方向（長辺方向）に延びている。また、これら溝２３、ボルト孔２４、レール２５は、メインフレーム２の押出成形時に底壁２１及び一対の側壁２２と一緒に一体で成形されている。溝２３は、側壁２２における底壁２１から離れた端部に設けられている。ボルト孔２４は、各側壁２２に２つ設けられており、１つは側壁２２における底壁２１との境界部に設けられ、もう１つは溝２３の近傍に設けられている。レール２５は、側壁２２における溝２３と底壁２１との中間部に設けられている。
【００１８】
一対のブラケット１３は、照明装置１をトンネルの壁面に固定するためのものであり、底壁２１の両端部外面にそれぞれ固定されている。照明装置１は、カバー４が下向きあるいは下斜め向きになるようにトンネルの壁面に固定される。
【００１９】
一対のサイドフレーム３は、メインフレーム２の両端の開口部を塞ぐためのものである。各サイドフレーム３は、４つのサイドフレーム固定用ボルトによってメインフレーム２に固定されている。これら４つのサイドフレーム固定用ボルトは、それぞれ上述したボルト孔２４に矢印Ｚ方向に螺合されている。また、一方のサイドフレーム３には、不図示の電線が通されるケーブルブッシュ１４が取り付けられている。また、各サイドフレーム３とメインフレーム２との間には不図示のパッキンが取り付けられている。
【００２０】
光源５は、図１，３に示すように、底壁２１とカバー４との間に収容されている。光源５は、カバー４及び底壁２１と対向した支持板５１と、支持板５１のカバー４側の面に取り付けられた複数のＬＥＤ基板５２と、を備えている。支持板５１の四隅には、光源固定用ボルト１５が通されるボルト挿通孔５３が形成されている。これらボルト挿通孔５３に通された各光源固定用ボルト１５が各金具６のボルト孔６５に螺合することで光源５がメインフレーム２に固定されている。また、支持板５１の外縁部には、後述するカバー固定用ボルト７を避けるための切欠き５４が複数形成されている。
【００２１】
電源ユニット１０は、光源５への電力供給及び制御を行うものであり、図３に示すように、光源５と底壁２１との間に収容されている。電源ユニット１０と複数のＬＥＤ基板５２は不図示の電線で接続されている。
【００２２】
カバー４は、メインフレーム２の開口部を塞ぐためのものであり、底壁２１と対向する向きでメインフレーム２に固定されている。カバー４は、無色透明なガラスで構成されており、底壁２１とほぼ同一の長方形板状に形成されている。カバー４には、カバー固定用ボルト７が通される挿通孔４１が８つ形成されている。また、図３に示すように、各挿通孔４１にはそれぞれパッキン８が装着されている。ただし、挿通孔４１の数は一例であり、８つに限定されない。
【００２３】
また、上述したパッキン１２は、一対の側壁２２とカバー４との間、及び、一対のサイドフレーム３とカバー４との間をシールしている。
【００２４】
パッキン８は、シリコーン等の弾性材で構成されており、図３，５に示すように、カバー４の外面に密着する円環状のフランジ部８１と、フランジ部８１の内縁部から円筒状に延び、挿通孔４１の内周面に密着する円筒部８２と、該円筒部８２の外周面から突出し、挿通孔４１外かつメインフレーム２の内部空間に位置付けられる突出部８３と、を備えている。
【００２５】
突出部８３は、パッキン８の挿通孔４１への装着後に、カバー４内面側の挿通孔４１の外周部に位置することでパッキン８の挿通孔４１からの抜けを防止する。また、突出部８３は、挿通孔４１への挿入性を考慮して、先細りテーパ形状に形成されている。
【００２６】
カバー固定用ボルト７は、図３，４に示すように、六角柱状の頭部７１と、頭部７１の一端面に連なった円形板状の押さえ部７２と、押さえ部７２における頭部７１と反対側の面から突出した軸部７３と、を備えている。
【００２７】
押さえ部７２は、頭部７１よりも一回り大きく形成されている。押さえ部７２は、カバー４の外面との間にフランジ部８１を挟む。これにより挿通孔４１とカバー固定用ボルト７との間が水密に保たれる。なお、仮にカバー固定用ボルト７が押さえ部７２を備えていない場合、六角柱状の頭部７１の複数の角部がフランジ部８１に当たり、フランジ部８１を傷付ける可能性がある。フランジ部８１を傷付けないためには、頭部７１とフランジ部８１との間にワッシャーを介在させる必要があるが、そうすると部品点数増加に繋がるため、本例ではワッシャーの役割を担う押さえ部７２が一体となったカバー固定用ボルト７を用いている。なお、頭部７１は丸型にしてもよく、その場合、押さえ部７２を省くことが可能である。
【００２８】
軸部７３は、頭部７１寄りに位置する円柱状の大径部７３ａと、大径部７３ａよりも小径の円柱状である小径部７３ｂと、から成る段付き形状とされている。小径部７３ｂの外周面には雄ねじが切られているが、大径部７３ａの外周面には雄ねじが切られていない。図３に示すように、カバー４をメインフレーム２に固定した状態で、大径部７３ａはパッキン８の円筒部８２の内側に位置しており、小径部７３ｂは金具６のボルト孔６５に螺合している。
【００２９】
また、大径部７３ａの外径は、円筒部８２の内径よりもわずかに大きく設定されている。このため、一のカバー固定用ボルト７の大径部７３ａが円筒部８２の内側に通されかつ小径部７３ｂがボルト孔６５に螺合していない状態でカバー４を下向きにした際（他のカバー固定用ボルト７はボルト孔６５に螺合していてカバー４自体は落下しないものとする。）、このカバー固定用ボルト７がパッキン８との摩擦力により円筒部８２内に保持される。
【００３０】
上述したように、照明装置１は、カバー４が下向きあるいは下斜め向きになるようにトンネルの壁面に設置される。この照明装置１は、メンテナンス時などにカバー固定用ボルト７を緩めてカバー４を外す機会がある。その際、従来は、ボルトを１つ緩める毎に該ボルト、ワッシャー、パッキンなどを回収してこれら部品の落下を防止していたが、本例の場合、カバー固定用ボルト７を緩めても該カバー固定用ボルト７は落下することなくパッキン８に保持され、該パッキン８も挿通孔４１に装着されたままの状態となるので、カバー４を外す際の作業効率を大幅に改善することができる。
【００３１】
金具６は、金属板にプレス加工等が施されて得られるものであり、図３，６に示すように、第１の板部６１と、第１の板部６１の一端で曲げられて成る第２の板部６２と、を備えている。第１の板部６１は、レール２５内に位置付けられる。第２の板部６２は、レール２５外に位置付けられ、底壁２１と平行に配置される。第１の板部６１には、金具固定用ボルト１１が螺合するボルト孔６４が形成されている。第２の板部６２には、２つのボルト孔６５が形成されている。これら２つのボルト孔６５は、同一径であり、カバー固定用ボルト７及び光源固定用ボルト１５の何れも螺合可能である。金具６は、レール２５の全長にわたってスライド可能であり、金具固定用ボルト１１によって挿通孔４１に対応した位置でスライド不能に固定される。
【００３２】
また、本例では、図２に示すように、各レール２５に４つの金具６を取り付け、全体として８つの金具６を用いてカバー４を固定している。そして、これら８つの金具６のうちの４つを用いて光源５を固定している。すなわち、メインフレーム２の四隅の金具６は、カバー４の固定と光源５の固定に兼用で用いられており、メインフレーム２の中央側の４つの金具６は、カバー４の固定専用で用いられている。
【００３３】
また、金具６のボルト孔６５の内径は、カバー固定用ボルト７の大径部７３ａの外径よりも小さく設定されている。さらに、図３に示す、大径部７３ａと小径部７３ｂの境界の段部が第２の板部６２に突き当たった位置が、カバー固定用ボルト７の正規の組付位置となっている。よって、照明装置１の組立時、カバー固定用ボルト７を、その回転が止まるところまで締め込むことで、カバー固定用ボルト７を正規の組付位置に位置付けることができる。また、カバー固定用ボルト７が正規の組付位置にある状態でさらに回転力を付与したとしても、大径部７３ａはボルト孔６５を通過することができないため、カバー固定用ボルト７が締まり過ぎることが防止される。
【００３４】
以上説明したように、照明装置１は、カバー４をメインフレーム２に固定する固定機構が、８つのパッキン８と、８つのカバー固定用ボルト７と、８つの金具６と、で構成されており、従来品（図７を参照）と比較して部品点数が削減されており、構成が大幅に簡素化されている。
【００３５】
また、上述した実施形態では、照明装置としてトンネル灯を例に挙げて説明したが、本発明の照明装置は、トンネル灯に限らず、街路灯、防犯灯などの各種照明装置に適用することができる。
【００３６】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３７】
１  照明装置
２  メインフレーム
４  カバー
５  光源
６  金具
７  カバー固定用ボルト
８  パッキン
【図１】
2020194760.tif 000003
【図２】
2020194760.tif 000004
【図３】
2020194760.tif 000005
【図４】
2020194760.tif 000006
【図５】
2020194760.tif 000007
【図６】
2020194760.tif 000008
【図７】
2020194760.tif 000009